【手続補正書】
【提出日】平成23年4月1日(2011.4.1)
【手続補正１】
【補正対象書類名】特許請求の範囲
【補正対象項目名】全文
【補正方法】変更
【補正の内容】
【特許請求の範囲】
【請求項１】
携帯電子機器と、サーバ装置と、前記携帯電子機器と前記サーバ装置との間のデータの送受を仲介するクレードル装置とからなるデータ通信システムであって、
前記携帯電子機器は、
前記クレードルとの間で通信を行う通信手段と、
自機の記憶手段に記憶しているコンテンツデータに関するメタデータあるいは自機に関する機器情報を含む前記サーバ装置宛の送信データを形成する形成手段と、
前記形成手段で形成された前記送信データを、前記通信手段を通じて前記サーバ装置に送信するように制御する送信制御手段と
を備え、
前記クレードル装置は、
自機に載置された前記携帯電子機器との間で通信を行う第１の通信手段と、
前記サーバ装置との間で通信を行う第２の通信手段と、
前記第１の通信手段を通じて前記携帯電子機器からの前記送信データを受信するようにすると共に、受信した前記送信データを前記第２の通信手段を通じて前記サーバ装置に送信するようにする中継制御手段と
を備え、
前記サーバ装置は、
前記クレードル装置との間で通信を行う通信手段と、
前記通信手段を通じて、前記携帯電子機器から送信されてくる前記送信データを受信するように制御する受信制御手段と、
前記通信手段を通じて受信した前記携帯電子機器からの前記送信データに応じた処理を実行するようにする処理実行制御手段と
を備えるデータ通信システム。
【請求項２】
請求項１に記載のデータ通信システムであって、
前記送信データが、コンテンツデータに関するメタデータである当該コンテンツデータについての権利情報を含むものである場合に、
前記サーバ装置の前記処理実行制御手段は、前記権利情報に基づいて、利用可能なコンテンツデータを取得して利用できるようにする処理を行うようにするデータ通信システム。
【請求項３】
請求項１に記載のデータ通信システムであって、
前記送信データが、コンテンツデータに関するメタデータである当該コンテンツデータについてのログ情報を含むものである場合に、
前記サーバ装置の前記処理実行制御手段は、前記ログ情報に基づいて、当該サーバ装置における当該コンテンツデータに対応するコンテンツデータの利用の状況の通知と、当該サーバ装置における当該コンテンツデータに対応するコンテンツデータの継続的な再生との少なくとも一方を行うようにするデータ通信システム。
【請求項４】
請求項１に記載のデータ通信システムであって、
前記送信データが、機器情報を含むものである場合に、
前記サーバ装置の前記処理実行制御手段は、前記機器情報に基づいて、詳細メンテナンス情報を提供する処理を行うようにするデータ通信システム。
【請求項５】
請求項１に記載のデータ通信システムであって、
前記サーバ装置は、
自機の記憶手段に記憶しているコンテンツデータに関するメタデータあるいは自機に関する機器情報を含む前記携帯電子機器宛の送信データを形成する形成手段と、
前記形成手段で形成された前記送信データを、前記通信手段を通じて前記携帯電子機器に送信するように制御する送信制御手段と
を備え、
前記クレードル装置において、
前記中継制御手段は、前記第２の通信手段を通じて前記サーバ装置からの前記送信データを受信するようにすると共に、受信した前記送信データを前記第１の通信手段を通じて前記携帯電子機器に送信するようにすることができるものであり、
前記携帯電子機器において、
前記通信手段を通じて前記サーバ装置から送信されてくる前記送信データを受信するように制御する受信制御手段と、
前記通信手段を通じて受信した前記サーバ装置からの前記送信データに応じた処理を実行するようにする処理実行制御手段と
を備えるデータ通信システム。
【請求項６】
携帯電子機器と、サーバ装置と、前記携帯電子機器と前記サーバ装置との間のデータの送受を仲介するクレードル装置とからなるデータ通信システムの前記携帯電子機器であって、
前記クレードルとの間で通信を行う通信手段と、
自機の記憶手段に記憶しているコンテンツデータに関するメタデータあるいは自機に関する機器情報を含む前記サーバ装置宛の送信データを形成する形成手段と、
前記形成手段で形成された前記送信データを、前記通信手段を通じて前記サーバ装置に送信するように制御する送信制御手段と
を備える携帯通信端末。
【請求項７】
請求項６に記載の携帯電子機器であって、
前記通信手段を通じて前記サーバ装置から送信されてくる前記送信データを受信するように制御する受信制御手段と、
前記通信手段を通じて受信した前記サーバ装置からの前記送信データに応じた処理を実行するようにする処理実行制御手段と
を備える携帯電子機器。
【請求項８】
携帯電子機器と、サーバ装置と、前記携帯電子機器と前記サーバ装置との間のデータの送受を仲介するクレードル装置とからなるデータ通信システムの前記クレードル装置であって、
自機に載置された前記携帯電子機器との間で通信を行う第１の通信手段と、
前記サーバ装置との間で通信を行う第２の通信手段と、
前記第１の通信手段を通じて前記携帯電子機器からのコンテンツデータに関するメタデータあるいは自機に関する機器情報を含む前記サーバ装置宛の送信データを受信するようにすると共に、受信した前記送信データを前記第２の通信手段を通じて前記サーバ装置に送信するようにする中継制御手段と
を備えるクレードル装置。
【請求項９】
請求項８に記載のクレードル装置であって、
前記中継制御手段は、前記第２の通信手段を通じて前記サーバ装置からの前記送信データを受信するようにすると共に、受信した前記送信データを前記第１の通信手段を通じて前記携帯電子機器に送信するようにすることができるものであるクレードル装置。
【請求項１０】
携帯電子機器と、サーバ装置と、前記携帯電子機器と前記サーバ装置との間のデータの送受を仲介するクレードル装置とからなるデータ通信システムの前記サーバ装置であって、
前記クレードル装置との間で通信を行う通信手段と、
前記通信手段を通じて、前記携帯電子機器から送信されてくるコンテンツデータに関するメタデータあるいは自機に関する機器情報を含む前記サーバ装置宛の送信データを受信するように制御する受信制御手段と、
前記通信手段を通じて受信した前記携帯電子機器からの前記送信データに応じた処理を実行するようにする処理実行制御手段と
を備えるサーバ装置。
【請求項１１】
請求項１０に記載のサーバ装置であって、
前記送信データが、コンテンツデータに関するメタデータである当該コンテンツデータについての権利情報を含むものである場合に、
前記処理実行制御手段は、前記権利情報に基づいて、利用可能なコンテンツデータを取得して利用できるようにする処理を行うようにするデータ通信システム。
【請求項１２】
請求項１０に記載のサーバ装置であって、
前記送信データが、コンテンツデータに関するメタデータである当該コンテンツデータについてのログ情報を含むものである場合に、
前記処理実行制御手段は、前記ログ情報に基づいて、当該サーバ装置における当該コンテンツデータに対応するコンテンツデータの利用の状況の通知と、当該サーバ装置における当該コンテンツデータに対応するコンテンツデータの継続的な再生との少なくとも一方を行うようにするサーバ装置。
【請求項１３】
請求項１０に記載のサーバ装置であって、
前記送信データが、機器情報を含むものである場合に、
前記処理実行制御手段は、前記機器情報に基づいて、詳細メンテナンス情報を提供する処理を行うようにするサーバ装置。
【請求項１４】
請求項１０に記載のサーバ装置であって、
自機の記憶手段に記憶しているコンテンツデータに関するメタデータあるいは自機に関する機器情報を含む前記携帯電子機器宛の送信データを形成する形成手段と、
前記形成手段で形成された前記送信データを、前記通信手段を通じて前記携帯電子機器に送信するように制御する送信制御手段と
を備えるサーバ装置。
【請求項１５】
携帯電子機器と、サーバ装置と、前記携帯電子機器と前記サーバ装置との間のデータの送受を仲介するクレードル装置とからなるデータ通信システムで用いられるデータ通信方法であって、
前記携帯電子機器においては、
自機の記憶手段に記憶しているコンテンツデータに関するメタデータあるいは自機に関する機器情報を含む前記サーバ装置宛の送信データを形成する形成工程と、
前記形成手段で形成された前記送信データを、通信手段を通じて前記サーバ装置に送信するように制御する送信制御工程と
を有し、
前記クレードル装置においては、
第１の通信手段を通じて前記携帯電子機器からの前記送信データを受信するようにすると共に、受信した前記送信データを第２の通信手段を通じて前記サーバ装置に送信するようにする中継制御工程を有し、
前記サーバ装置においては、
通信手段を通じて、前記携帯電子機器から送信されてくる前記送信データを受信するように制御する受信制御工程と、
前記通信手段を通じて受信した前記携帯電子機器からの前記送信データに応じた処理を実行するようにする処理実行制御工程と
を有するデータ通信方法。
【請求項１６】
請求項１５に記載のデータ通信方法であって、
前記送信データが、コンテンツデータに関するメタデータである当該コンテンツデータについての権利情報を含むものである場合に、
前記サーバ装置の前記処理実行制御工程においては、前記権利情報に基づいて、利用可能なコンテンツデータを取得して利用できるようにする処理を行うようにするデータ通信方法。
【請求項１７】
請求項１５に記載のデータ通信方法であって、
前記送信データが、コンテンツデータに関するメタデータである当該コンテンツデータについてのログ情報を含むものである場合に、
前記サーバ装置の前記処理実行制御工程においては、前記ログ情報に基づいて、当該サーバ装置における当該コンテンツデータに対応するコンテンツデータの利用の状況の通知と、当該サーバ装置における当該コンテンツデータに対応するコンテンツデータの継続的な再生との少なくとも一方を行うようにするデータ通信方法。
【請求項１８】
請求項１５に記載のデータ通信方法であって、
前記送信データが、機器情報を含むものである場合に、
前記サーバ装置の前記処理実行制御工程においては、前記機器情報に基づいて、詳細メンテナンス情報を提供する処理を行うようにするデータ通信方法。
【請求項１９】
請求項１５に記載のデータ通信方法であって、
前記サーバ装置は、
自機の記憶手段に記憶しているコンテンツデータに関するメタデータあるいは自機に関する機器情報を含む前記携帯電子機器宛の送信データを形成する形成工程と、
前記形成工程で形成した前記送信データを、前記通信手段を通じて前記携帯電子機器に送信するように制御する送信制御工程と
を有し、
前記クレードル装置において、
前記中継制御工程においては、前記第２の通信手段を通じて前記サーバ装置からの前記送信データを受信するようにすると共に、受信した前記送信データを前記第１の通信手段を通じて前記携帯電子機器に送信するようにすることができ、
前記携帯電子機器は、
前記通信手段を通じて前記サーバ装置から送信されてくる前記送信データを受信するように制御する受信制御工程と、
前記通信手段を通じて受信した前記サーバ装置からの前記送信データに応じた処理を実行するようにする処理実行制御工程と
を有するデータ通信方法。
【手続補正２】
【補正対象書類名】明細書
【補正対象項目名】発明の名称
【補正方法】変更
【補正の内容】
【発明の名称】データ通信システム、携帯電子機器、サーバ装置、およびデータ通信方法
【手続補正３】
【補正対象書類名】明細書
【補正対象項目名】０００１
【補正方法】変更
【補正の内容】
【０００１】
この発明は、例えば、携帯電話端末、デジタルカメラ、携帯型音楽再生装置などの種々の携帯電子機器（モバイル機器）とパーソナルコンピュータなどのサーバ装置との間のデータの送受を仲介するクレードル装置を用いて形成するシステム、このシステムで用いられる装置、および方法に関する。